(57)【要約】【課題】着脱の作業が便利で、且つ危険性の無い作業を達成することができ、且つ構造の簡易なＬＥＤ電光掲示板のＬＥＤモジュール固定構造を提供する。【解決手段】少なくとも一以上のＬＥＤモジュールを具えるＬＥＤ電光掲示板のＬＥＤモジュール固定構造であって、少なくとも一以上の本体と、少なくとも一以上の連結部材を含み、該本体の一方の側面に少なくとも一以上の凹溝を形成し、該凹溝の底部には係合溝を形成し、該本体の該凹溝を形成する面には、該凹溝に連通し、該係合溝に到る少なくとも一以上の孔部を形成し、該連結部材が、該凹溝と該係合溝内に接続するように構成する。【選択図】図３
0003119922.tif 000002
【実用新案登録請求の範囲】
【請求項１】
少なくとも一以上のＬＥＤモジュールを具えるＬＥＤ電光掲示板のＬＥＤモジュール固定構造であって、
少なくとも一以上の本体と、少なくとも一以上の連結部材を含み、該本体の一方の側面に少なくとも一以上の凹溝を形成し、該凹溝の底部には係合溝を形成し、該本体の該凹溝を形成する面には、該凹溝に連通し、該係合溝に到る少なくとも一以上の孔部を形成し、該連結部材が、該凹溝と該係合溝内に接続するように構成することを特徴とする電光掲示板のＬＥＤモジュール固定構造。
【請求項２】
前記本体が被固定物に取り付けられ、該連結部材が該ＬＥＤモジュールの一方の側面に設けられることを特徴とする請求項１に記載の電光掲示板のＬＥＤモジュール固定構造。
【請求項３】
前記本体が、該ＬＥＤモジュールの一方の側面に設けられ、該固定部材が被固定物上に設けられることを特徴とする請求項１に記載の電光掲示板のＬＥＤモジュール固定構造。
【請求項４】
前記連結部材が、接続部と係合部を具え、該接続部が該係合部に連結し、且つ該係合部が該係合溝内に係合することを特徴とする請求項１、もしくは請求項２、もしくは請求項３に記載の電光掲示板のＬＥＤモジュール固定構造。
【請求項５】
前記係合部の断面積が、該接続部の断面積よりやや大きいことを特徴とする請求項４に記載の電光掲示板のＬＥＤモジュール固定構造。
【請求項６】
前記本体と、該ＬＥＤモジュールとが一体に形成されることを特徴とする請求項３に記載の電光掲示板のＬＥＤモジュール固定構造。
【請求項７】
前記ＬＥＤモジュールが、更にハウジングを具え、該ハウジング内に複数のＬＥＤユニットを設けるとともに、該ハウジングの外部表面に該連結部材を接続する少なくとも一以上の支持部を設けることを特徴とする請求項１、もしくは請求項２に記載の電光掲示板のＬＥＤモジュール固定構造。
【請求項８】
前記ＬＥＤモジュールが、更にハウジングを具え、該ハウジング内に複数のＬＥＤユニットを設けることを特徴とする請求項１、もしくは請求項３、もしくは請求項６に記載の電光掲示板のＬＥＤモジュール固定構造。
【請求項９】
前記ＬＥＤモジュール固定構造が、該ＬＥＤモジュールに当止する少なくとも一以上の当止部を設けることを特徴とする請求項２、もしくは請求項３に記載の電光掲示板のＬＥＤモジュール固定構造。
【請求項１０】
前記係合溝が、縦方向に形成され、該凹溝に連通することを特徴とする請求項１に記載の電光掲示板のＬＥＤモジュール固定構造。
【請求項１１】
前記ＬＥＤモジュールが、異なる必要に応じて各種の大型ＬＥＤ電光掲示板を構成することを特徴とする請求項１に記載の電光掲示板のＬＥＤモジュール固定構造。
【請求項１２】
少なくとも一以上のＬＥＤモジュールを具えるＬＥＤ電光掲示板のＬＥＤモジュール固定構造であって、
少なくとも一以上の本体と、少なくとも一以上の連結部材を含み、該本体の一方の側面に少なくとも一以上の凹溝を形成し、該凹溝の底部には係合溝を形成し、該連結部材が、該凹溝と該係合溝内に接続するように構成することを特徴とする電光掲示板のＬＥＤモジュール固定構造。
【請求項１３】
前記本体が被固定物に固定され、該連結部材が該ＬＥＤモジュールの一方の側面に設けられることを特徴とする請求項１２に記載の電光掲示板のＬＥＤモジュール固定構造。
【請求項１４】
前記本体が、該ＬＥＤモジュールの一方の側面に設けられ、該固定部材が被固定物上に設けられることを特徴とする請求項１２に記載の電光掲示板のＬＥＤモジュール固定構造。
【請求項１５】
前記連結部材が、横方向に長く形成され、且つ接続部と係合部を含んでなり、該接続部が該係合部に接続し、該係合部が該係合溝に係合するように構成されることを特徴とする請求項１２、もしくは請求項１３、もしくは請求項１４に記載の電光掲示板のＬＥＤモジュール固定構造。
【請求項１６】
前記係合部の断面積が、該接続部の断面積よりやや大きいことを特徴とする請求項１５に記載の電光掲示板のＬＥＤモジュール固定構造。
【請求項１７】
前記本体と、該ＬＥＤモジュールとが一体に形成されることを特徴とする請求項１４に記載の電光掲示板のＬＥＤモジュール固定構造。
【請求項１８】
前記ＬＥＤモジュールが、更にハウジングを具え、該ハウジング内に複数のＬＥＤユニットを設けることを特徴とする請求項１２、もしくは請求項１３、もしくは請求項１４、もしくは請求項１７に記載の電光掲示板のＬＥＤモジュール固定構造。
【請求項１９】
前記ＬＥＤモジュールが、更にハウジングを具え、該ハウジング内に複数のＬＥＤユニットを設けることを特徴とする請求項１５に記載の電光掲示板のＬＥＤモジュール固定構造。
【請求項２０】
前記固定部材に、該ＬＥＤモジュールに当止する少なくとも一以上の当止部を設けることを特徴とする請求項１３、もしくは請求項１４に記載の電光掲示板のＬＥＤモジュール固定構造。
【請求項２１】
前記係合溝が、縦方向に形成され、該凹溝に連通することを特徴とする請求項１２に記載の電光掲示板のＬＥＤモジュール固定構造。
【請求項２２】
前記ＬＥＤモジュールが、異なる必要に応じて各種の大型ＬＥＤ電光掲示板を構成することを特徴とする請求項１２に記載の電光掲示板のＬＥＤモジュール固定構造。
【考案の詳細な説明】
【技術分野】
【０００１】
この考案は電光掲示板に関し、特に発光ダイオード（以下ＬＥＤと称する）を用いた電光掲示板におけるＬＥＤモジュールを固定するＬＥＤ電光掲示板のＬＥＤモジュール固定構造に関する。
【背景技術】
【０００２】
目下、情報が氾濫する時代となり、特にマスメディアは情報の伝達において極めて重要な役割を担っている。また、官庁のキャンペーン、企業のイメージや商品を紹介する広告、もしくは公共の場所における案内、指示等について不特定多数の大衆に訴える場合、看板が常用される。係る情報伝達を目的とした看板は、光電技術の発展により電光掲示板が開発されている。電光掲示板によって従来の平面的で静的な表示から、動的な表示を行うことができるようになった。特にＬＥＤを利用した電光掲示板は、極めて大きな宣伝効果をもたらすことができるのみならず、ショーなどの実況中継等についても応用されている。
【０００３】
上述するＬＥＤ電光掲示板は、コンピュータで制御することができる。また、インターネットを利用して幅広く応用することも可能である。初期の電光掲示板は、単に発光体を点滅させ、点を線にした二次元的な表現方法しかできなかったが、ＬＥＤ電光掲示板においては、平面の全面を利用し、静的な表示のみならず、動的な映像を表示することができる。このため、電光掲示板の表現方法に変化と応用性をもたらし、好ましい視覚的効果を実現することができる。係る効果は、その他看板等の媒体が達成する効果に比して遥かに優れたものである。更に、ＬＥＤは高い輝度と、集光性、防水性に優れるという特性を有し、また、使用寿命が長いという利点をも有する。更には電力の消費が少なく、発光体自身の発熱も少なくいため、屋外におけるディスプレーとしての用途に適している。例えば屋外の大型電光掲示板等に応用されている。
【０００４】
ＬＥＤを利用した電光掲示板は、看板自体のサイズに関わらず、いずれもＬＥＤを単一のユニットとしてＬＥＤモジュールを構成し、更に看板に対するニーズに基づきＬＥＤモジュールを電光掲示板に取り付け、更に制御回路を設けて視覚的効果を表現できるようにする。
【０００５】
図１、２に従来のＬＥＤ電光掲示板を開示する。図面によれば、従来のＬＥＤ電光掲示板は複数のＬＥＤモジュール１０を含んでなり、それぞれのＬＥＤモジュール１０は箱状のフレーム１１を具えてなる。フレーム１１には発光した場合光線を外部から確認できる複数のＬＥＤユニット１１１を内接する。フレーム１１の四隅にはそれぞれ支持部１１２を形成し、支持部１１２を形成し、また、複数の固定部材１３を連結部材１２で支持部１１２に固定する。固定部材１３は、一端が被固定物１４に接続し、多端は垂直に折り曲げ、屈折部１３１を形成する。更に屈折部１３１には貫通孔１３２を形成する。
【０００６】
上述のそれぞれの部材を組み立てる場合、フレーム１１の四隅に形成した支持部１１２に固定部材１３の屈折部１３１に穿設した貫通孔１３２を合わせ、連結部材１２を屈折部１３１の貫通孔１３２に相通させて締結し、複数のＬＥＤモジュール１０を被固定物１４に固定して、大型のＬＥＤ電光掲示板を形成する。固定部材１３はＬＥＤモジュール１０と被固定物１４との間に介在する。ＬＥＤの発光する面は外側に向く。よって、外部から見た場合、視覚的効果が得られる。
【０００７】
しかしながら、上述する部材を実際に取り付ける場合、問題が存在する。即ち、ＬＥＤモジュール１０を取り付けるか、もしくは取り外す場合、作業員はＬＥＤモジュール１０と被固定物１４との間に入って連結部材１２を締結するか、もしくは緩めてＬＥＤモジュール１０を取り付けたり外したりしなければならない。係る作業は極めて不便であり、危険であるとともに、一人で行うことができず、他の作業員の協力を必要とする。このため時間と人件費を費やし、コストの増加につながる。
【考案の開示】
【考案が解決しようとする課題】
【０００８】
この考案は、着脱の作業が便利で、且つ危険性の無い作業を達成することができ、且つ構造の簡易なＬＥＤ電光掲示板のＬＥＤモジュール固定構造を提供することを課題とする。
【課題を解決するための手段】
【０００９】
そこで、本考案者は従来の技術に見られる欠点に鑑み鋭意研究を重ねた結果、少なくとも一以上のＬＥＤモジュールを具えるＬＥＤ電光掲示板のＬＥＤモジュール固定構造であって、少なくとも一以上の本体と、少なくとも一以上の連結部材を含み、該本体の一方の側面に少なくとも一以上の凹溝を形成し、該凹溝の底部には係合溝を形成し、該本体の該凹溝を形成する面には、該凹溝に連通し、該係合溝に到る少なくとも一以上の孔部を形成し、該連結部材が、該凹溝と該係合溝内に接続するように構成する電光掲示板のＬＥＤモジュール固定構造によって課題を解決できる点に着眼し、かかる知見に基づいて本考案を完成させた。
【００１０】
以下、この考案について具体的に説明する。
請求項１に記載する電光掲示板のＬＥＤモジュール固定構造は、少なくとも一以上のＬＥＤモジュールを具えるＬＥＤ電光掲示板のＬＥＤモジュール固定構造であって、少なくとも一以上の本体と、少なくとも一以上の連結部材を含み、該本体の一方の側面に少なくとも一以上の凹溝を形成し、該凹溝の底部には係合溝を形成し、該本体の該凹溝を形成する面には、該凹溝に連通し、該係合溝に到る少なくとも一以上の孔部を形成し、該連結部材が、該凹溝と該係合溝内に接続するように構成する。
【００１１】
請求項２に記載する電光掲示板のＬＥＤモジュール固定構造は、請求項１における本体が被固定物に取り付けられ、該連結部材が該ＬＥＤモジュールの一方の側面に設けられる。
【００１２】
請求項３に記載する電光掲示板のＬＥＤモジュール固定構造は、請求項１における本体が、該ＬＥＤモジュールの一方の側面に設けられ、該固定部材が被固定物上に設けられる。
【００１３】
請求項４に記載する電光掲示板のＬＥＤモジュール固定構造は、請求項１、もしくは請求項２、もしくは請求項３における連結部材が、接続部と係合部を具え、該接続部が該係合部に連結し、且つ該係合部が該係合溝内に係合する。
【００１４】
請求項５に記載する電光掲示板のＬＥＤモジュール固定構造は、請求項４における係合部の断面積が、該接続部の断面積よりやや大きい。
【００１５】
請求項６に記載する電光掲示板のＬＥＤモジュール固定構造は、請求項３における本体と、該ＬＥＤモジュールとが一体に形成される。
【００１６】
請求項７に記載する電光掲示板のＬＥＤモジュール固定構造は、請求項１、もしくは請求項２におけるＬＥＤモジュールが、更にハウジングを具え、該ハウジング内に複数のＬＥＤユニットを設けるとともに、該ハウジングの外部表面に該連結部材を接続する少なくとも一以上の支持部を設ける。
【００１７】
請求項８に記載する電光掲示板のＬＥＤモジュール固定構造は、請求項１、もしくは請求項３、もしくは請求項６におけるＬＥＤモジュールが、更にハウジングを具え該ハウジング内に複数のＬＥＤユニットを設ける。
【００１８】
請求項９に記載する電光掲示板のＬＥＤモジュール固定構造は、請求項２、もしくは請求項３におけるＬＥＤモジュール固定構造が、該ＬＥＤモジュールに当止する少なくとも一以上の当止部を設ける。
【００１９】
請求項１０に記載する電光掲示板のＬＥＤモジュール固定構造は、請求項１における係合溝が、縦方向に形成され、該凹溝に連通する。
【００２０】
請求項１１に記載する電光掲示板のＬＥＤモジュール固定構造は、請求項１におけるＬＥＤモジュールが、異なる必要に応じて各種の大型ＬＥＤ電光掲示板を構成する。
【００２１】
請求項１２に記載する電光掲示板のＬＥＤモジュール固定構造は、少なくとも一以上のＬＥＤモジュールを具えるＬＥＤ電光掲示板のＬＥＤモジュール固定構造であって、少なくとも一以上の本体と、少なくとも一以上の連結部材を含み、該本体の一方の側面に少なくとも一以上の凹溝を形成し、該凹溝の底部には係合溝を形成し、該連結部材が、該凹溝と該係合溝内に接続するように構成する。
【００２２】
請求項１３に記載する電光掲示板のＬＥＤモジュール固定構造は、請求項１２における本体が被固定物に固定され、該連結部材が該ＬＥＤモジュールの一方の側面に設けられる。
【００２３】
請求項１４に記載する電光掲示板のＬＥＤモジュール固定構造は、請求項１２における本体が、該ＬＥＤモジュールの一方の側面に設けられ、該固定部材が被固定物上に設けられる。
【００２４】
請求項１５に記載する電光掲示板のＬＥＤモジュール固定構造は、請求項１２、もしくは請求項１３、もしくは請求項１４における連結部材が、横方向に長く形成され、且つ接続部と係合部を含んでなり、該接続部が該係合部に接続し、該係合部が該係合溝に係合するように構成される。
【００２５】
請求項１６に記載する電光掲示板のＬＥＤモジュール固定構造は、請求項１５における係合部の断面積が、該接続部の断面積よりやや大きい。
【００２６】
請求項１７に記載する電光掲示板のＬＥＤモジュール固定構造は、請求項１４における本体と、該ＬＥＤモジュールとが一体に形成される。
【００２７】
請求項１８に記載する電光掲示板のＬＥＤモジュール固定構造は、請求項１２、もしくは請求項１３、もしくは請求項１４、もしくは請求項１７におけるＬＥＤモジュールが、更にハウジングを具え、該ハウジング内に複数のＬＥＤユニットを設ける。
【００２８】
請求項１９に記載する電光掲示板のＬＥＤモジュール固定構造は、請求項１５におけるＬＥＤモジュールが、更にハウジングを具え、該ハウジング内に複数のＬＥＤユニットを設ける。
【００２９】
請求項２０に記載する電光掲示板のＬＥＤモジュール固定構造は、請求項１３もしくは請求項１４における固定部材に、該ＬＥＤモジュールに当止する少なくとも一以上の当止部を設ける。
【００３０】
請求項２１に記載する電光掲示板のＬＥＤモジュール固定構造は、請求項１２における係合溝が、縦方向に形成され、該凹溝に連通する。
【００３１】
請求項２２に記載する電光掲示板のＬＥＤモジュール固定構造は、請求項１２におけるＬＥＤモジュールが、異なる必要に応じて各種の大型ＬＥＤ電光掲示板を構成する。
【考案の効果】
【００３２】
本考案のＬＥＤ電光掲示板のＬＥＤモジュール固定構造は、着脱の作業が便利で、且つ危険性の無い作業を達成することができ、且つ構造の簡易であるため、容易に取り付けることができるという利点を有する。
【考案を実施するための最良の形態】
【００３３】
この考案は、少なくとも一以上のＬＥＤモジュールを具えるＬＥＤ電光掲示板のＬＥＤモジュール固定構造であって、少なくとも一以上の本体と、少なくとも一以上の連結部材を含み、該本体の一方の側面に少なくとも一以上の凹溝を形成し、該凹溝の底部には係合溝を形成し、該本体の該凹溝を形成する面には、該凹溝に連通し、該係合溝に到る少なくとも一以上の孔部を形成し、該連結部材が、該凹溝と該係合溝内に接続するように構成するという目的を実現した。
係る構成の電光掲示板のＬＥＤモジュール固定構造について、その構造と特徴を詳述するために具体的な実施例を挙げ、以下に説明する。
【実施例１】
【００３４】
図３から８に開示するように、この考案による電光掲示板のＬＥＤモジュール固定構造は、ＬＥＤモジュール２１と、固定部材２２と、複数の連結部材２３とを含んでなる。ＬＥＤモジュール２１は、箱状のハウジング２１１と、ハウジング２１１に内接される複数のＬＥＤユニット２１１１とを含み、ハウジング２１１の正面から見た場合、複数のＬＥＤユニット２１１１の発光が確認できるように構成する。ハウジング２１１の外面には、複数の支持部２１２を設ける。即ち、支持部２１２はハウジング２１１の背面の四隅に形成し、連結部材２３の相通に供する。
【００３５】
固定部材２２を設ける数は、実施例において二つである。即ち、ＬＥＤモジュール一つにつき固定部材２２を二つ取り付ける。固定部材２２は本体２２１を有し、本体２２１の一面には凹溝２２１１を形成する。凹溝２２１１は本体２２１の長手方向に沿って一方の端縁部から他方の端縁部に至るまで形成する。凹溝２２１の底部には、更に係合溝２２１２を形成する。係合溝２２１２は、図６、７に開示するように凹溝２２１１に連通する。詳しくは、図７の断面図から明らかなように、係合溝２２１２は、凹溝２２１に連通し、固定部材２２の断面においてＴ字状を形成する。また、固定部材２２の凹溝２２１を形成する面には、凹溝２２１から係合溝２２１２に至る孔部２２２を少なくとも１以上形成する。実施例において、孔部２２２は円形を呈する。
【００３６】
連結部材２３は、ハウジング２１１１の支持部２１２に形成する支持部２１２と同数用いる。また、連結部材２３は、接続部２３１と、係合部２３２とを有する。係合部２３１は、形状が孔部２２２と略同様であり、かつ直径を孔部２２２よりやや狭くする。さらに、係合部２３２の断面積は、接続部２３１の断面積より大きくする。
【００３７】
以上の部材を組み立てる場合、連結部材２３の接続部２３１をハウジング２１１の支持部２１２に挿通させ、ハウジング２１１の背面に固定部材２２を合わせ、固定部材２１１の四隅の支持部２１２の個所の係合部２３２を固定部材２２の孔部２２２に合わせ、係合部２３２が孔部２２２を通過して、さらに凹溝２１１の係合溝に至るようにハウジング２１１を固定部材２２の方向に押し圧して、さらに係合部２３２が係合溝２１２を横方向に移動して孔部２２２から離れ、係合部２３２の位置が完全に係合溝２２１２内に至るように側面に向かって押し圧する（図８に点線で開示する）。よって、係合部２３２が係合溝２２１２の制限を受けて、係合溝２２１２に係止して、ＬＥＤモジュール２１が固定される。
【００３８】
次に、図３、４、５、８を参照にして図９について説明する。ＬＥＤモジュール２１は必要に応じて組み立て、各種の大型ＬＥＤ電光掲示板を構成することができる。さらに、制御回路を取り付け、視覚的効果を達成できるようにする。また、固定部材２２は、凹溝２１１を形成しない面を被固定物２５に固定する。複数のＬＥＤモジュール２１は、上述する取り付け方法を繰り返して固定部材２２に取り付けて、大型のＬＥＤ電光掲示板を構成する。
【００３９】
また、ＬＥＤ電光掲示板の両側縁の外方向に面する側面には当止部２４をそれぞれ設ける。当止部２４はＬＥＤモジュール２１が任意に移動して外れないようにする作用を有する。
【００４０】
ＬＥＤモジュールの内の一つが損傷した場合は、当止部２４を外し、該損傷したＬＥＤモジュール２１を横方向に移動させ、連結部材の係合部２３２を係合溝２２１２に沿って係合溝２２１２と孔部２２２とが連通する位置に至るまで移動させ、ＬＥＤモジュール２１のハウジング２１１を引き出して取り外す。よって、従来の技術に見られるように、作業者が背面の隙間に入り固定部材を取り外してＬＥＤモジュールを取り外す必要がない。即ち、作業の不便と危険性という欠点を解消することができる。
【実施例２】
【００４１】
図１０、１１、１２に第２の実施例を開示する。第２の実施例は全体的構造と、その効果は第１の実施例と略同様である。よって、同様の構造の部分については詳述することなく、かつ同一の図番で表示する。
【００４２】
第２の実施例において第１の実施例と異なる点は、本体２２１の凹溝２２１１を形成しない面にＬＥＤモジュール２１の背面を取り付け、連結部材２３の接続部２３１を被固定物２５に設ける点にある。よって、ＬＥＤモジュール２１は、背面が連結部材２３に向かい合い、ＬＥＤモジュール２１を被固定物２５に向かって押し圧すると、連結部材２３が本体２２１の孔部２２２に相通し、更に横方向に押すと、連結部材２３の係合部２３２が係合溝２３１２内に到る。また、固定部材２２２の本体２２１は、ＬＥＤモジュール２１と一体に成型してもよい。
【実施例３】
【００４３】
図１３、１４、１５に第３の実施例を開示する。第３の実施例は全体的構造と、その効果は第１の実施例と略同様である。よって、同様の構造の部分については詳述することなく、かつ同一の図番で表示する。
【００４４】
第３の実施例において第１の実施例と異なる点は、固定部材３２の本体３２１の一方の側面に、長手方向に凹溝３２１１を形成し、且つ凹溝３２１１の底部に、凹溝３２１１に連通してＴ字状の断面を呈する係合溝３２１２を形成する。また、固定部材３２の本体３２１の凹溝３２１１を形成する面に対向ずる側面は被固定物２５に固定する。
【００４５】
連結部材３３は、ＬＥＤモジュール２１の背面の一端から横方向に延伸して他端に到り、接続部３３１と、係合部３３２を具える。接続部３３１の一端は、ＬＥＤモジュール２１の背面に設けられ、他端は係合部３３２に連結する。係合部３３２の断面積は接続部３３１の断面積より大きくする。
【００４６】
以上の部材を組み立てる場合、ＬＥＤモジュール２１の背面を固定部材３２に向け、連結部材３３の接続部３３１と係合部３３２を固定部材３２の一端から凹溝３２１１、及び係合溝３２１２に挿入し、ＬＥＤモジュール２を横方向に押すと、連結部材３３全体が凹溝３２１１、及び係合溝３２１２内に進入し、ＬＥＤモジュール２１が被固定物２５に取り付けられる。また、連結部材３３はＬＥＤモジュール２１と一体に形成してもよい。
【実施例４】
【００４７】
図１６、１７、１８に第４の実施例を開示する。第４の実施例は全体的構造と、その効果は第３の実施例と略同様であるが、固定部材３２の本体３２１をＬＥＤモジュール２１の背面に設け、連結部材３３を被固定物２５に設ける点において第３の実施例と異なる。係る構造によっても、上述する他の実施例と同等の効果を得ることができる。また、固定部材３２の本体３２１はＬＥＤモジュール２１と一体に成型してもよい。
【００４８】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００４９】
【図１】従来の技術によるＬＥＤ電光掲示板の構造を示した説明図である。
【図２】図１に開示するＬＥＤ電光掲示板を組み立てた状態を示した説明図である。
【図３】この考案によるＬＥＤモジュール固定構造の分解図である。
【図４】図３に開示するＬＥＤモジュール固定構造を他の角度から見た分解図である。
【図５】図３に開示するＬＥＤモジュール固定構造を組み立てた状態を示した斜視図である。
【図６】この考案における支持部材の正面図である。
【図７】図６に開示する支持部材の側面図である。
【図８】この考案によるＬＥＤモジュール固定構造を組み立てる動作を示した説明図である。
【図９】この考案によるＬＥＤモジュール固定構造を応用したＬＥＤ電光掲示板を示した説明図である。
【図１０】第２の実施例によるＬＥＤモジュール固定構造の分解図である。
【図１１】図１０に開示する状態を側面から見た説明図である。
【図１２】第２の実施例によるＬＥＤモジュールの固定構造を組み立てる場合の動作を示した説明図である。
【図１３】第３の実施例によるＬＥＤモジュール固定構造の分解図である。
【図１４】図１３の状態を側面から見た説明図である。
【図１５】第３の実施例によるＬＥＤ固定モジュールを組み立てる動作を示した説明図である。
【図１６】第４の実施例によるＬＥＤモジュール固定構造の分解図である
【図１７】図１６の状態を側面から見た説明図である。
【図１８】第４の実施例によるＬＥＤ固定モジュールを組み立てる動作を示した説明図である。
【符号の説明】
【００５０】
１０          ＬＥＤモジュール
１１          フレーム
１１１        ＬＥＤユニット
１１２        支持部
１２          連結部材
１３          固定部材
１３２        通孔
１４          被固定物
２１          ＬＥＤモジュール
２１１        ハウジング
２１１１      ＬＥＤユニット
２１２        支持部
２２          固定部材
２２１        本体
２２１１      凹溝
２２１２      係合溝
２２２        孔部
２３          連結部材
２３１        接続部
２３２        係合部
２４          当止部
２５          被固定物
３２          定部材
３２１        本体
３２１１      凹溝
３２１２      係合溝
３３          連結部材
３３１        接続部
３３２        係合部
【図１】
0003119922.tif 000003
【図２】
0003119922.tif 000004
【図３】
0003119922.tif 000005
【図４】
0003119922.tif 000006
【図５】
0003119922.tif 000007
【図６】
0003119922.tif 000008
【図７】
0003119922.tif 000009
【図８】
0003119922.tif 000010
【図９】
0003119922.tif 000011
【図１０】
0003119922.tif 000012
【図１１】
0003119922.tif 000013
【図１２】
0003119922.tif 000014
【図１３】
0003119922.tif 000015
【図１４】
0003119922.tif 000016
【図１５】
0003119922.tif 000017
【図１６】
0003119922.tif 000018
【図１７】
0003119922.tif 000019
【図１８】
0003119922.tif 000020